(57)【特許請求の範囲】
【請求項１】
第一筐体と、
第二筐体と、
前記第一筐体と前記第二筐体とを相対回転可能に連結する連結部と、
前記第一筐体に設けられ、前記第一筐体から外部に向けて発光するまたは前記第一筐体の外部から受光する電気装置と、
前記第一筐体と前記第二筐体との間を移動可能な可動部材と、を有し、
前記可動部材は、前記第一筐体と前記第二筐体とに跨って前記回転を規制すると共に前記電気装置を被覆する規制被覆位置と、前記第一筐体と前記第二筐体とに跨って前記回転を規制すると共に前記電気装置を露出させる規制露出位置との間を移動可能であり、
前記可動部材が前記規制被覆位置から前記規制露出位置に移動すると、前記電気装置が動作する
ことを特徴とする電子機器。
【請求項２】
前記可動部材は、前記規制被覆位置から前記規制露出位置を経由して、前記第一筐体と前記第二筐体とに跨らず前記回転を許容すると共に前記電気装置を露出させる許容露出位置へ移動可能であり、
前記電気装置は、前記可動部材が前記許容露出位置にあるときに動作する
ことを特徴とする請求項１に記載の電子機器。
【請求項３】
前記可動部材が前記規制露出位置から前記規制被覆位置に移動すると前記電気装置の動作が終了する
ことを特徴とする請求項１または２に記載の電子機器。
【請求項４】
前記電気装置は、カメラ、ストロボおよび表示部のうちの少なくとも一つである
ことを特徴とする請求項１乃至請求項３のいずれか一に記載の電子機器。
【請求項５】
前記可動部材は、前記規制被覆位置と前記規制露出位置との間を、前記第一筐体において前記電気装置が露出する第一主面および前記第二筐体において前記第一主面と略面一となる第二主面に沿ってスライドする
ことを特徴とする請求項１乃至請求項４のいずれか一項に記載の電子機器。
【請求項６】
前記連結部は、前記第一主面と前記第二主面とが略面一となる第一状態と、前記第一主面と前記第二主面とが略反対方向を向く第二状態とをとり得るように、前記第一筐体と前記第二筐体とを両者の並び方向に平行な回転軸周りに回転可能に連結し、
前記可動部材は、前記第一状態および前記第二状態の両方において、前記第一主面および前記第二主面に沿ってスライドする
ことを特徴とする請求項５に記載の電子機器。
【請求項７】
前記電気装置はカメラであり、
前記第二主面には、前記カメラにより撮像された画像を表示可能な表示部が設けられている
ことを特徴とする請求項６に記載の電子機器。
【発明の詳細な説明】
【技術分野】
【０００１】
本発明は、携帯電話機やデジタルカメラ等の電子機器に関する。
【背景技術】
【０００２】
２つの筐体を互いに相対回転可能とした携帯電話機等の電子機器が知られている。このような電子機器では、使用目的に適した角度において２つの筐体の相対回転を規制する係止部やクリック機構などが設けられている。例えば、特許文献１では、２つの筐体をヒンジ部回りに３６０度回転可能な折り畳み式の携帯電話機において、通話に適した１６０度の位置よりも更に筐体が回転することを規制する位置と許容する位置との間で往復移動可能なロック摘みを設けた技術が開示されている。
【特許文献１】特開２００５−２１７７９５号公報
【発明の開示】
【発明が解決しようとする課題】
【０００３】
しかし、特許文献１の技術では、ロック摘みは筐体の回転の許容と規制とを切り換えることのみに利用されており、それ以上の機能を有していない。このため、ロック摘みは単に部品点数の増加を招いているだけであり、実施化の魅力に乏しい。
【０００４】
本発明の目的は、筐体の回転の許容と規制との切換に他の機能を付加した電子機器を提供することにある。
【課題を解決するための手段】
【０００５】
本発明の電子機器は、第一筐体と第二筐体とが連結部により相対回転可能に連結された電子機器において、前記回転を許容する第一位置と前記回転を規制する第二位置との間で移動可能な可動部と、該可動部の前記移動に応じて前記両筐体のいずれか一方に備えられた外装部を被覆させる第三位置と前記外装部を露出させる第四位置との間で移動可能な被覆部と、が前記両筐体の少なくとも一方に設けられている。
【０００６】
好適には、前記外装部を有する筐体内に電気装置を備えると共に、前記外装部は前記電気装置の一部であって、前記被覆部の前記第三位置と前記第四位置との間の移動に応じて前記電気装置の動作状態を切り換える切換手段を有する。
【０００７】
好適には、前記電気装置はカメラであり、前記切換手段は前記被覆部が前記第三位置に位置する場合は前記カメラを不動作とし、前記被覆部が前記第四位置に位置する場合は前記カメラを動作させる。
【０００８】
好適には、前記可動部が前記第一位置と前記第二位置のいずれか一方の位置に位置するとき、前記被覆部は前記第三位置と前記第四位置のいずれか一方の位置に位置し、前記可動部が前記第一位置と前記第二位置のいずれか他方の位置に位置するとき、前記被覆部は前記第三位置と前記第四位置のいずれか他方の位置に位置する。
【０００９】
好適には、前記被覆部の前記移動の途中では、前記可動部が前記両筐体の相対回転を許容すると共に前記被覆部が前記外装部を露出させる位置をとる。
【００１０】
好適には、前記被覆部の前記移動の途中では、前記可動部が前記両筐体の相対回転を規制すると共に前記被覆部が前記外装部を被覆させる位置をとる。
【００１１】
好適には、前記被覆部の前記移動の途中では、前記可動部が前記両筐体の相対回転を許容すると共に前記被覆部が前記外装部を被覆させる位置をとる。
【００１２】
好適には、前記被覆部の前記移動の途中では、前記可動部が前記両筐体の相対回転を規制すると共に前記被覆部が前記外装部を露出させる位置をとる。
【発明の効果】
【００１３】
本発明によれば、筐体の回転の許容と規制との切換に他の機能を付加できる。
【発明を実施するための最良の形態】
【００１４】
（第１の実施形態）
図１〜図５は、本発明の第１の実施形態の携帯電話機１の外観斜視図であり、図１は、携帯電話機１の通話時の使用状態であって筐体が回転不可能な状態（通常状態）を示しており、図２は、図１の状態から携帯電話機１の筐体を回転可能とした状態を示しており、図３は、図２の状態から筐体を回転させている途中の状態を示しており、図４は、図３の状態から筐体の回転が終了した状態を示しており、図５は、図４の状態から筐体を回転不可能とした状態を示している。なお、携帯電話機１は本発明の電子機器の一例である。
【００１５】
携帯電話機１は、全体として、いわゆるストレートタイプの携帯電話機として構成されており、薄型で長尺状の直方体状の外形を有している。携帯電話機１は、長手方向（図１のｚ軸方向）に配列された表示筐体２及び操作筐体３を備えている。表示筐体２と、操作筐体３とは、連結部４により、携帯電話機１の長手方向に平行な回転軸回りに相対回転可能に連結されている。なお、表示筐体２及び操作筐体３は、第一筐体及び第二筐体の一例である。
【００１６】
表示筐体２は、概ね薄型直方体に形成されており、通話時においてユーザが耳をあてがう側（正面側）の正面側ケース５と、その背面側の背面側ケース６とを合体させて構成されている。正面側ケース５及び背面側ケース６は例えば樹脂により形成されている。
【００１７】
表示筐体２には、表示筐体２の正面側に画像を表示する表示部１１が設けられている。表示部１１は、例えば液晶表示ディスプレイ（ＬＣＤ）により構成されている。また、表示筐体２の正面側には、連結部４とは反対側の筐体端部側の位置に、通話用のスピーカ４９（図１３参照）により出力された音を筐体外部へ放音するための放音孔１２が開口している。
【００１８】
操作筐体３は、概ね薄型直方体に形成されており、通話時において口元を近づける側（正面側）の正面側ケース７と、その背面側の背面側ケース８とを合体させて構成されている。正面側ケース７及び背面側ケース８は例えば樹脂により形成されている。なお、操作筐体３の幅（ｘ軸方向）及び厚さ（ｙ軸方向）は、表示筐体２の幅及び厚さと同等である。
【００１９】
操作筐体３には、操作部１４、カメラ１５、ストロボ１６が設けられている。操作部１４は、例えば、操作筐体３の正面側に露出するダイヤルキー１４ａ、カーソルキー１４ｂ、決定キー１４ｃ等の押圧ボタンを備えており、ユーザの入力操作を受け付ける。
【００２０】
カメラ１５は、操作筐体３の正面側であって、連結部４寄り位置において、正面側ケース７に形成された開口から撮影窓１５ａが露出するように設けられており、操作部１４への入力操作に応じて操作筐体３の正面側の被写体を撮像する。ストロボ１６は、カメラ１５に隣接して設けられており、正面側ケース７に形成された開口から露出している。ストロボ１６の露出位置は、カメラ１５の操作筐体３からの露出位置と、ｚ軸方向の位置が同じである。また、表示筐体２の正面側には、連結部４とは反対側の筐体端部側の位置に、通話用のマイクロフォン５０（図１３参照）へ音を導くための導音孔１７が開口している。
【００２１】
携帯電話機１は、表示筐体２及び操作筐体３の相対回転を許容又は規制するためのスライドカバー２５を備えている。スライドカバー２５は、例えば透光性を有さない樹脂により形成されている。スライドカバー２５は、表示筐体２及び操作筐体３の外周に嵌合可能の中空部材であり、表示筐体２及び操作筐体３が挿通される方向の平面がない直方体状に形成されている。
【００２２】
スライドカバー２５は、図１に示す表示筐体２及び操作筐体３の相対回転を規制する位置Ｐ２と、図２に示す表示筐体２及び操作筐体３の相対回転を許容する位置Ｐ１との間で、ｚ軸方向に沿って往復移動可能である。
【００２３】
回転を規制する位置Ｐ２は、スライドカバー２５が表示筐体２及び操作筐体３の双方に跨る位置である。すなわち、スライドカバー２５が回転を規制する位置Ｐ２にあるとき、スライドカバー２５は、表示筐体２及び操作筐体３の双方に嵌合している。従って、スライドカバー２５が回転を規制する位置Ｐ２にあるとき、表示筐体２及び操作筐体３は、双方ともスライドカバー２５に対して相対回転できず、ひいては、表示筐体２と操作筐体３との相対回転が規制される。
【００２４】
一方、回転を許容する位置Ｐ１は、回転を規制する位置Ｐ２よりも表示筐体２側の位置であり、スライドカバー２５が回転を許容する位置Ｐ１にあるとき、スライドカバー２５は、表示筐体２のみに嵌合している。従って、操作筐体３はスライドカバー２５に対して相対回転可能であり、ひいては、表示筐体２と操作筐体３との相対回転が許容される。
【００２５】
スライドカバー２５が回転を規制する位置Ｐ２にあるときは、カメラ１５及びストロボ１６はスライドカバー２５に被覆され、スライドカバー２５が回転を許容する位置Ｐ１にあるときは、カメラ１５及びストロボ１６は露出する。
【００２６】
なお、スライドカバー２５は、本発明の可動部及び被覆部の一例であり、可動部及び被覆部を兼ねている。また、位置Ｐ１は、回転を許容する第一位置及び外装部を露出させる第四位置の一例であり、位置Ｐ２は、回転を規制する第二位置及び外装部を被覆させる第三位置の一例である。
【００２７】
図６は、携帯電話機１を一部分解して示す連結部４周辺の拡大斜視図、図７（ａ）は、図２のＶＩＩａ−ＶＩＩａ線矢視方向における断面図、図７（ｂ）は、図７（ａ）のａ領域の拡大図、図７（ｃ）は図７（ａ）のＶＩＩｃ−ＶＩＩｃ線矢視方向における断面図である。ただし、図７（ａ）では、同一断面にない部材も示している。
【００２８】
連結部４は、表示筐体２及び操作筐体３を相対回転可能に連結するヒンジ２７を備えている。ヒンジ２７は、表示筐体２及び操作筐体３の互いに対向する面の中央において、当該互いに対向する面に挿通されており、表示筐体２及び操作筐体３はヒンジ２７を回転軸として相対回転する。
【００２９】
ヒンジ２７の構成は従来利用されている適宜なものとしてよい。例えばヒンジ２７は、操作筐体３に固定されるとともに表示筐体２に軸支されることにより、操作筐体３と表示筐体２とを互いに相対回転可能に連結するように構成されていてもよい。ヒンジ２７は、表示筐体２及び操作筐体３の相対回転を図１の状態（０度）から図４の状態（１８０度）までの範囲でのみ許容する係合部やクリック感を生じさせるクリック機構等を備えて構成されていてもよい。ヒンジ２７は概略円筒状に形成されており、ヒンジ２７には表示筐体２内部の電子回路と操作筐体３内部の電子回路とを接続する信号線が挿通される。
【００３０】
図６、図７（ａ）及び図７（ｂ）に示すように、スライドカバー２５は、内側に突出する凸部２９をｘ軸方向の両端側に備えている。凸部２９は、断面Ｔ字に形成されるとともに、ｚ軸方向に延びる突条に形成されている。凸部２９は、ｚ軸方向において、スライドカバー２５の全体に亘る長さを有している。
【００３１】
一方、表示筐体２及び操作筐体３には、凸部２９が嵌合し、ｚ軸方向に延びる溝部３０が形成されている。図６に示すように、溝部３０は、表示筐体２の正面側ケース５及び背面側ケース６に形成された表示筐体側溝部３０ａと、操作筐体３の正面側ケース７及び背面側ケース８に形成された操作筐体側溝部３０ｂとが、表示筐体２と操作筐体３との相対回転が０度（図１の状態）又は１８０度（図４の状態）の状態において直接的に位置するように構成されている。
【００３２】
表示筐体側溝部３０ａは、凸部２９と同等以上の長さを有している。従って、スライドカバー２５は、操作筐体３との嵌合が解除される位置まで表示筐体２側へ移動し、当該位置あるいは当該位置から更に移動したときに、図７（ｃ）に示されるように、凸部２９が表示筐体側溝部３０ａの端部に当接して表示筐体２側への移動が規制される。
【００３３】
一方、操作筐体側溝部３０ｂは、凸部２９の長さよりも短い。従って、スライドカバー２５は、表示筐体２及び操作筐体３の双方に跨る位置にて、凸部２９が操作筐体側溝部３０ｂに当接し、操作筐体３側への移動が規制される。
【００３４】
図６及び図７（ｃ）に示すように、凸部２９の内側面には、第１凹部３２Ａ、第２凹部３２Ｂ、第３凹部３２Ｃ（以下、単に「凹部３２」といい、これらを区別しない場合がある。）がｚ軸方向に配列されている。一方、表示筐体２には、凹部３２に嵌合するボール３３と、ボール３３を凹部３２へ向けて付勢するバネ３４とが設けられている。ボール３３は、スライドカバー２５のｚ軸方向への移動に伴って、凹部３２へ係脱し、クリック感を生じさせる。
【００３５】
なお、ボール３３は、スライドカバー２５が図２に示す位置Ｐ１にあるときに第３凹部３２Ｃに嵌合し、スライドカバー２５が図２に示す位置Ｐ１と、図１に示す位置Ｐ２との略中間となる位置Ｐ１２（図１０参照）にあるときに第２凹部３２Ｂに嵌合し、スライドカバー２５が図１に示す位置Ｐ２にあるときに第１凹部３２Ａに嵌合する。
【００３６】
図８は、スライドカバー２５の移動に伴って、カメラ１５のオン、オフが切り換えられることを説明する図である。図８は、携帯電話機１を一部分解して示す連結部４付近の斜視図であり、図８（ａ）はオフ状態を、図８（ｂ）はオン状態を示している。
【００３７】
表示筐体２内部には、表示部１１の動作を制御するための電子回路等が配置される基板３６が設けられている。基板３６は、正面側ケース５及び背面側ケース６（図８では不図示）に沿って配置されており、背面側ケース６側の主面にはスイッチ３７が設けられている。
【００３８】
スイッチ３７は例えば押圧されることにより接点が接触してオン信号を出力する押圧スイッチにより構成されており、スイッチ３７が押圧されている間、カメラ１５はオン状態となり、スイッチ３７が押圧されていない間、カメラ１５はオフ状態となる。
【００３９】
スライドカバー２５は、スイッチ３７を押圧する押圧部３８を備えている。押圧部３８は、例えば、表示筐体２の側面側から内部側へ（ｘ軸方向へ）突出し、基板３６に対向する板状に形成されており、スライドカバー２５の移動に伴って、図８（ａ）に示すスイッチ３７上から退避した位置と、図８（ｂ）に示すスイッチ３７上に位置してスイッチ３７を押圧する位置との間をｚ軸方向に沿って移動する。
【００４０】
具体的には、押圧部３８の配置位置及びｚ軸方向の長さは、ボール３３が第１凹部３２Ａに嵌合するとき（スライドカバー２５が図１に示す位置Ｐ２にあるとき）にスイッチ３７を押圧せず、ボール３３が第２凹部３２Ｂに嵌合するときからボール３３が第３凹部３２Ｃに嵌合するときまで（スライドカバー２５が図１０に示す位置Ｐ１２から図１に示す位置Ｐ１までのいずれかにあるとき）にスイッチ３７を押圧するように設定されている。
【００４１】
なお、スイッチ３７は、表示筐体２と操作筐体３とが連結される側に対して傾斜する傾斜面３７ａを有するキートップ３７ｂを備えており、押圧部３８がスイッチ３７上から退避した位置からスイッチ３７上へ移動する際には、押圧部３８の縁部３８ａがスイッチ３７のキートップ３７ｂの傾斜面３７ａに対して摺動し、キートップ３７ｂを押し下げることにより、円滑にスイッチ３７の押圧が行われる。
【００４２】
図９は、表示筐体２と操作筐体３との相対位置が、図１に示す状態（０度の状態、通常状態）であるか、図４に示す状態（１８０度の状態、反転状態）であるかを検出する方法を説明する図である。図９は、携帯電話機１の一部を分解して連結部４付近を示す斜視図であり、図９（ａ）は通常状態を、図９（ｂ）は反転状態を示している。
【００４３】
操作筐体３内部には、無線通信を行うための高周波回路等が配置される基板４０が設けられている。基板４０は、正面側ケース７及び背面側ケース８（図９では不図示）に沿って配置されており、背面側ケース８側の主面には磁気センサ４１が設けられている。
【００４４】
磁気センサ４１は、例えば永久磁石及びＭＲ素子等の磁電変換素子を含んで構成され、磁気センサ４１周囲の磁束密度の変化を電気信号に変換する。磁気センサ４１は、操作筐体３内部において、表示筐体２と操作筐体３とが連結される端部のｘ軸方向の一方端に設けられている。
【００４５】
一方、ボール３３は、鉄等の磁性材により形成されており、また、表示筐体２内部において、表示筐体２と操作筐体３とが連結される端部のｘ軸方向の一方端に設けられている。
【００４６】
従って、図９（ａ）及び図９（ｂ）に示すように、携帯電話機１が通常状態又は反転状態になると、ボール３３と磁気センサ４１とは離間又は近接する。磁気センサ４１は、ボール３３の近接、離間に伴う磁気センサ４１の磁束密度の変化を電気信号に変換する。例えば、ボール３３が近接して磁束密度が閾値を超えた場合にはＯＮ信号を出力する。
【００４７】
図１０は、使用者が携帯電話機１により自らを撮影する、いわゆる自分撮りをする場合における、携帯電話機１の使用状態の一例（自分撮影状態）を示す正面図である。
【００４８】
図１０の自分撮影状態では、表示部１１及びカメラ１５が同一方向を向いている。すなわち、カメラ１５を自分に向けるとともに、カメラ１５により撮影されている画像を表示部１１により視認可能な状態になっている。そして、決定キー１４ｃは、シャッタを切るためのレリーズボタンとして機能する。なお、自分撮影状態では、後述するサイドキー１４ｄを操作してもシャッタは切られない。ただし、サイドキー１４ｄによりシャッタを切ることを可能としてもよい。
【００４９】
スライドカバー２５は、ボール３３が第２凹部３２Ｂに嵌合しており（図６及び図７）、図１に示す位置Ｐ２と、図２に示す位置Ｐ１との間の位置Ｐ１２に位置している。このとき、カメラ１５及びストロボ１６はスライドカバー２５が被覆されておらず、露出している。ただし、スライドカバー２５は、表示筐体２及び操作筐体３の双方に嵌合しており、表示筐体２及び操作筐体３の相対回転は規制されている。
【００５０】
図１１は、使用者が携帯電話機１により自分以外の被写体を撮影する場合における、携帯電話機１の使用状態の一例（相手撮影状態）を示す正面図である。
【００５１】
図１１の相手撮影状態では、表示部１１とカメラ１５（図１１では不図示）とは互いに反対方向を向いている。すなわち、カメラ１５を自分と正対する被写体に向けるとともに、カメラ１５により撮影されている画像を表示部１１により視認可能な状態になっている。そして、操作筐体３の側面に設けられたサイドキー１４ｄは、シャッタを切るためのレリーズボタンとして機能する。なお、相手撮影状態では、決定キー１４ｃを操作してもシャッタは切られない。ただし、決定キー１４ｃによりシャッタを切ることを可能としてもよい。
【００５２】
スライドカバー２５は、図１０の自分撮影状態と同様に、位置Ｐ１２に位置している。従って、カメラ１５及びストロボ１６はスライドカバー２５が被覆されておらず、露出しており、また、スライドカバー２５は、表示筐体２及び操作筐体３の双方に嵌合しており、表示筐体２及び操作筐体３の相対回転は規制されている。
【００５３】
図１２は、携帯電話機１の使用状態の遷移を示す図表である。
【００５４】
「状態」の欄は各状態に割り振った便宜上の番号を示している。
【００５５】
「ＬＣＤ面」の欄は、表示筐体２の正面（表示部１１が設けられている側の面）が、操作筐体３の正面（ダイヤルキー１４ａが設けられている面）と同一方向を向いている状態を「表」、表示筐体２の正面が操作筐体３の背面を向いている状態を「裏」として示している。
【００５６】
「スライドカバー（ボール位置）」の欄は、ボール３３が第１凹部３２Ａ、第２凹部３２Ｂ、第３凹部３２Ｃに嵌合する状態を、それぞれ「凹部１」、「凹部２」、「凹部３」として示している。
【００５７】
「回転」の欄は、表示筐体２及び操作筐体３の回転がスライドカバー２５により規制されている状態、許容されている状態を、それぞれ「ロック」、「フリー」として示している。
【００５８】
「回転検知」の欄は、ボール３３が磁気センサ４１に近接して磁気センサ４１からＯＮ信号が出力される状態、ボール３３が磁気センサ４１から離間して磁気センサ４１からＯＦＦ信号が出力されている状態を、それぞれ「ＯＮ」、「ＯＦＦ」として示している。
【００５９】
「カメラ」の欄は、スライドカバー２５によってカメラ１５が被覆されている状態、被覆されておらず露出している状態を、それぞれ「使用不可」、「使用可」として示している。
【００６０】
「スライドスイッチ」の欄は、スイッチ３７が押圧部３８により押圧されている状態、押圧されていない状態を、それぞれ「ＯＮ」、「ＯＦＦ」として示している。
【００６１】
「モード」は、自分撮りに適した状態、相手撮りに適した状態を、それぞれ「自分撮り」、「相手撮り」として示している。
【００６２】
「状態１」は、図１に示す状態である。すなわち、表示部１１はカメラ１５と同一方向を向いており、表示筐体２及び操作筐体３の相対回転は規制されている。また、カメラ１５はスライドカバー２５により被覆されるとともに、スイッチ３７によりオフ状態となっている。
【００６３】
「状態１」では、決定キー１４ｃは、電話を掛ける相手先の電話番号の確定や表示部１１に表示された選択肢の選択確定等、通常の決定操作に利用され、カメラ１５のレリーズボタンとしては機能しない。すなわち、「状態１」は、通話機能、メール機能、音楽再生等、カメラ１５による撮影以外の機能を利用する際に適した使用状態である。
【００６４】
「状態２」は、「状態１」から、スライドカバー２５を位置Ｐ１２に移動させた状態である。すなわち、図１０の状態である。この状態では、表示筐体２及び操作筐体３の相対回転は規制されたままであるが、スライドカバー２５はカメラ１５上から退避し、また、スイッチ３７によりカメラ１５はオン状態となる。そして、この状態は自分撮りに適している。
【００６５】
「状態３」は、「状態２」から、スライドカバー２５を図２に示す位置Ｐ１へ移動させた状態である。この状態では、表示筐体２及び操作筐体３の相対回転が許容される。また、カメラ１５はスライドカバー２５により被覆されていないとともに、スイッチ３７によりオン状態とされており、カメラ１５により撮影することも可能である。
【００６６】
「状態４」は、「状態３」から、表示筐体２を操作筐体３に対して１８０度反転させた状態であり、図４に示す状態である。反転により、磁気センサ４１の出力信号はオフ信号からオン信号に切り換えられる。そして、磁気センサ４１の出力信号が切り換えられることにより、カメラ１５のレリーズボタンとして機能するキーが、決定キー１４ｃからサイドキー１４ｄに切り換えられる。
【００６７】
「状態５」は、「状態４」から、スライドカバー２５を位置Ｐ１２に移動させた状態である。すなわち、図１１の状態である。この状態では、表示筐体２及び操作筐体３の相対回転が規制されることになるが、カメラ１５はまだスライドカバー２５により被覆されておらず、また、スイッチ３７はオン状態のままである。そして、この状態は相手撮りに適している。
【００６８】
「状態６」は、「状態５」から、スライドカバー２５を位置Ｐ２へ移動させた状態であり、図５に示す状態である。この状態では、カメラ１５はスライドカバー２５により被覆され、また、スイッチ３７によりオフ状態になる。なお、表示筐体２及び操作筐体３の相対回転も規制されたままである。この状態は、スライドカバー２５を位置Ｐ２から位置Ｐ１２へ移動させるだけで相手撮りに適した状態へ遷移させることができ、相手撮りの待機状態として適した状態である。
【００６９】
なお、当然に、「状態６」、「状態５」、「状態４」、「状態３」、「状態２」、「状態１」の順に遷移させることもできる。
【００７０】
図１３は、携帯電話機１の信号系の構成を示すブロック図である。
【００７１】
携帯電話機１は、制御部４５、通信処理部４６、アンテナ４７、音声処理部４８、スピーカ４９、マイクロフォン５０、撮像素子５１、撮像処理部５２、画像処理部５３を備えている。なお、制御部は本発明の切換手段の一例である。
【００７２】
撮像素子５１は、例えばＣＣＤやＣＭＯＳにより構成されており、図示しないレンズ１５ｃにより結像された光像を電気信号に変換して撮像処理部５２に出力する。撮像処理部５２は、例えばＩＣを含んで構成され、撮像素子５１からのアナログ信号をデジタル信号に変換するとともに、画像データに変換して制御部４５に出力する。また、撮像処理部５２は、適宜なタイミングで撮像素子５１の電荷を放出して撮像素子５１のリセットを行い、制御部４５からの制御信号に基づいてメカニカルシャッタ又は電子シャッタを切る。なお、カメラ１５は、撮影窓１５ａ及びレンズ１５ｃとともに撮像素子５１及び撮像処理部５２を含んで構成されている。
【００７３】
制御部４５は、例えばＣＰＵ、ＲＡＭ、ＲＯＭ等を含んだＩＣにより構成されている。制御部４５は、各種手段からの信号に基づく各種手段の動作等の各種処理を実行する。例えば、以下のような処理を実行する。
【００７４】
制御部４５は、スイッチ３７からオン信号が出力されているときは、操作部１４からの信号に基づく撮像処理部５２の動作制御を行い、また、撮像処理部５２からの信号に基づいて、カメラ１５により撮像した画像を画像処理部５３を介して表示部１１に表示させる。また、レリーズボタンとして機能するキーへの操作に応じて、カメラ１５により撮像した画像をＲＡＭあるいは外部記憶装置へ記録する。一方、スイッチ３７からオフ信号が出力されているときは、制御部４５は上記の処理を行わない。これにより、スイッチ３７によるカメラ１５のオン状態及びオフ状態の切換が行われる。
【００７５】
スイッチ３７からオン信号が出力されている場合、制御部４５は、センサ４１からオフ信号が出力されているときは、決定キー１４ｃの押圧に応じてカメラ１５により撮像した画像をＲＡＭあるいは外部記憶装置へ記録するとともに、サイドキー１４ｄの押圧によっては当該記録を行わず、センサ４１からオン信号が出力されているときは、サイドキー１４ｄの押圧に応じてカメラ１５により撮像した画像をＲＡＭあるいは外部記憶装置へ記録するとともに、決定キー１４ｃの押圧によっては当該記録を行わない。これにより、レリーズボタンの切換が行われる。
【００７６】
通信処理部４６は、高周波回路を含んで構成され、電波を利用した無線通信を行うために、制御部４５で処理された音声データ、画像データ等の各種データを変調して、アンテナ４７を介して送信する。また、通信処理部４６は、アンテナ４７を介して受信した信号を復調して制御部４５に出力する。音声処理部４８は、制御部４５からの音声データを音声信号に変換してスピーカ４９に出力し、又、マイクロフォン５０からの音声信号を音声データに変換して制御部４５に出力する。画像処理部５３は、制御部５３からの映像データを映像信号に変換して表示部１１に出力する。
【００７７】
以上の本発明の実施形態によれば、表示筐体２と操作筐体３との回転を許容する位置Ｐ１と回転を規制する位置Ｐ２との間で移動可能で、その移動に応じてカメラ１５を被覆又は露出させるスライドカバー２５が設けられていることから、筐体の相対回転の許容及び規制を任意に設定することができるとともに、スライドカバー２５の移動に伴って自動的に被覆又は露出して、不使用時におけるカメラ１５の防護を実現できる。また、スライドカバー２５は、表示筐体２及び操作筐体３の外周に嵌合して回転を規制するから、両筐体間の連結部４の補強にもなる。
【００７８】
カメラ１５はスライドカバー２５により被覆された場合にはオフ状態となり、露出されたときにはオン状態となるから、スライドカバー２５を移動させるだけでカメラ１５のオン状態又はオフ状態を切り替えることができ便利である。また、カメラ１５の被覆及び露出と連動しているから、カメラ１５の動作のオン又はオフを把握しやすい。
【００７９】
スライドカバー２５が回転を許容する位置Ｐ１及び回転を規制する位置Ｐ２の一方から他方へ移動すると、スライドカバー２５は被覆される状態及び露出する状態の一方から他方へ移動する。従って、筐体の回転の許容又は規制の切り替わりと、カメラ１５の被覆又は露出の切り替わり（カメラ１５の動作状態の切り替わり）が連動して行われるため、携帯電話機１の動作の理解が容易であるとともに便利である。
【００８０】
スライドカバー２５が回転を許容する位置Ｐ１から規制する位置Ｐ２に移動すると、カメラ１５は露出した状態から被覆された状態に移動し、その移動の途中では、スライドカバー２５は、筐体の相対回転を規制しつつ、カメラ１５を露出させる位置Ｐ１２をとる。従って、スライドカバー２５が位置Ｐ１にあるときは、表示部１１を自分に向けたまま、操作筐体３を回転させてカメラ１５を任意の方向へ向けて撮像ができ、さらに、スライドカバー２５を位置Ｐ１２へ移動させて回転を規制し、自分撮りや相手撮りに適した状態に筐体位置を保持することができ、スライドカバー２５が位置Ｐ２にあるときは、回転を規制して通話等に適した状態に保持するとともにカメラ１５を被覆して、カメラ１５の保護及び誤操作防止ができる。
【００８１】
（変形例）
図１４及び図１５は、第１の実施形態の変形例の携帯電話機１′を示す斜視図であり、図１４は相手撮影状態を、図１５は自分撮影状態を示している。
【００８２】
この変形例では、カメラ１５′及びストロボ１６′は、操作筐体３′のダイヤルキー１４ａや決定キー１４ｃが設けられる面とは反対側の面に設けられている。従って、表示筐体２の正面（表示部１１が設けられている側の面）が、操作筐体３の正面（ダイヤルキー１４ａが設けられている面）と同一方向を向いている状態が相手撮りに適した状態であり、決定キー１４ｃがレリーズボタンとして機能し、表示筐体２の正面と操作筐体３の正面とが反対方向を向いている状態が自分撮りに適した状態であり、サイドキー１４ｄがレリーズボタンとして機能する。
【００８３】
図１６は、携帯電話機１の使用状態の遷移を示す図表である。図１２に示した図表とは、「モード」の欄が異なっているだけであり、他は図１２と同様である。
【００８４】
（他の実施形態）
第１の実施形態では、スライドカバー２５が回転を許容する位置Ｐ１から規制する位置Ｐ２に移動すると、カメラ１５は露出した状態から被覆された状態に移動し、その移動の途中では、スライドカバー２５は、筐体の相対回転を規制しつつ、カメラ１５を露出させる位置Ｐ１２をとった。
【００８５】
しかし、回転を許容する位置Ｐ１及び規制する位置Ｐ２と、露出する状態及び被覆する状態との組み合わせは２組あり、移動の途中においては、回転の許容及び規制の切り替わりと露出及び被覆の切り替わりとのいずれが先になるかの組み合わせも２組あり、第１の実施形態も含めて合計４通りの態様が考えられる。
【００８６】
図１７は、上記４通りを示す図表である。当該図表では、上記４通り毎のスライドカバー２５の位置（状態）を示している。各組み合わせの欄において、上欄は、スライドカバー２５が移動範囲の一方端、途中、他方端へ移動するときに、回転を許容するか（１）、規制するか（２）を示しており、下欄は、スライドカバー２５が移動範囲の一方端、途中、他方端へ移動するときに、カメラ１５を被覆するか（３）、露出させるか（４）を示している。
【００８７】
以下では、組み合わせ２〜４に係る第２〜第４の実施形態を例示する。
【００８８】
（第２の実施形態）
図１８は、第２の実施形態における回転の規制及び許容と、カメラの被覆及び露出との関係を示す模式図である。
【００８９】
第２の実施形態では、スライドカバー１２５は、図１８（ａ）に示す回転を許容するとともにカメラ１１５を露出させる位置Ｐ１０１から、図１８（ｂ）に示す回転を許容するとともにカメラ１１５を被覆する位置Ｐ１１２を経由して、図１８（ｃ）に示す回転を規制するとともにカメラ１１５を被覆する位置Ｐ１０２へ移動する。もちろん、その反対方向への移動も可能である。
【００９０】
なお、カメラ１１５が露出する面は、操作筐体１０３において、ダイヤルキーや決定キーが設けられる面でもよいし、その背面でもよい。
【００９１】
第２の実施形態によれば、スライドカバー１２５が位置Ｐ１０１にあるときは、第１の実施形態の位置Ｐ１と同様に、表示部１１１を自分に向けたまま、操作筐体１０３を回転させてカメラ１１５を任意の方向へ向けて撮像ができる。スライドカバー１２５が位置Ｐ１１２にあるときは、カメラ１１５を被覆させたまま（カメラ１１５をオフ状態としたまま）、表示筐体１０２と操作筐体１０３とを相対回転させることもできるから、例えば、回転時のカメラ１１５の誤操作を防止させたい場合や、映画再生などにおいて操作筐体１０３に設けられたスピーカを適宜な位置に向けたい場合（カメラ１１５とは関係のないモジュールの向きを変えたい場合）に便利である。スライドカバー１２５が位置Ｐ１０２にあるときは、第１の実施形態の位置Ｐ２と同様に、回転を規制して通話等に適した状態に保持するとともにカメラ１１５を被覆して、カメラ１１５の保護及び誤操作防止ができる。
【００９２】
（第３の実施形態）
図１９は、第３の実施形態における回転の規制及び許容と、カメラの被覆及び露出との関係を示す模式図である。
【００９３】
第３の実施形態では、スライドカバー２２５は、図１９（ａ）に示す回転を許容するとともにカメラ２１５を被覆する位置Ｐ２０１から、図１９（ｂ）に示す回転を規制するとともにカメラ２１５を被覆する位置Ｐ２１２を経由して、図１９（ｃ）に示す回転を規制するとともにカメラ２１５を露出させる位置Ｐ２０２へ移動する。もちろん、その反対方向への移動も可能である。
【００９４】
なお、カメラ２１５が露出する面は、操作筐体２０３において、ダイヤルキーや決定キーが設けられる面でもよいし、その背面でもよい。
【００９５】
第３の実施形態によれば、スライドカバー２２５が位置Ｐ２０１にあるときは、第２の実施形態の位置Ｐ１１２と同様に、カメラ２１５を被覆させたまま（カメラ２１５をオフ状態としたまま）、表示筐体２０２と操作筐体２０３とを相対回転させることができるから、例えば、回転時のカメラ２１５の誤操作を防止させたい場合や、映画再生などにおいて操作筐体２０３に設けられたスピーカを適宜な位置に向けたい場合（カメラ２１５とは関係のないモジュールの向きを変えたい場合）に便利である。スライドカバー２２５が位置Ｐ２１２にあるときは、第１の実施形態の位置Ｐ２と同様に、回転を規制して通話等に適した状態に保持するとともにカメラ２１５を被覆して、カメラ２１５の保護及び誤操作防止ができる。スライドカバー２２５が位置Ｐ２０２にあるときは、第１の実施形態の位置Ｐ１２と同様に、自分撮りや相手撮りに適した状態に筐体位置を保持することができる。
【００９６】
（第４の実施形態）
図２０は、第４の実施形態における回転の規制及び許容と、カメラの被覆及び露出との関係を示す模式図である。
【００９７】
第４の実施形態では、スライドカバー３２５は、図２０（ａ）に示す回転を許容するとともにカメラ３１５を被覆する位置Ｐ３０１から、図２０（ｂ）に示す回転を許容するとともにカメラ３１５を露出させる位置Ｐ３１２を経由して、図２０（ｃ）に示す回転を規制するとともにカメラ３１５を露出させる位置Ｐ３０２へ移動する。もちろん、その反対方向への移動も可能である。
【００９８】
なお、カメラ３１５が露出する面は、操作筐体３０３において、ダイヤルキーや決定キーが設けられる面でもよいし、その背面でもよい。
【００９９】
第４の実施形態によれば、スライドカバー３２５が位置Ｐ３０１にあるときは、第３の実施形態の位置Ｐ２０１と同様に、カメラ３１５を被覆させたまま（カメラ３１５をオフ状態としたまま）、表示筐体３０２と操作筐体３０３とを相対回転させることができるから、例えば、回転時のカメラ３１５の誤操作を防止させたい場合や、映画再生などにおいて操作筐体３０３に設けられたスピーカを適宜な位置に向けたい場合（カメラ３１５とは関係のないモジュールの向きを変えたい場合）に便利である。スライドカバー３２５が位置Ｐ３１２にあるときは、第１の実施形態の位置Ｐ１と同様に、表示部３１１を自分に向けたまま、操作筐体３０３を回転させてカメラ３１５を任意の方向へ向けて撮像ができる。スライドカバー３２５が位置Ｐ３０２にあるときは、第３の実施形態の位置Ｐ２０２と同様に、自分撮りや相手撮りに適した状態に筐体位置を保持することができる。
【０１００】
このように、本発明によれば、スライドカバー２５の移動に応じて図１７に示すような表示筐体２と操作筐体３の相対回転の許容／規制及びカメラ１５の被覆／露出を簡単に切り替えることができ、利便性が高い。
【０１０１】
なお、第１〜第４の実施形態は、需要等に応じて適宜に選択でき、また、例えば第１の実施形態の位置Ｐ１から位置Ｐ１２を経由して位置Ｐ２へ移動し、その位置Ｐ２から、さらに、第２の実施形態の位置Ｐ１１２を経由して位置Ｐ１０１へ移動できるようにするなど、適宜に組み合わせてもよい。
【０１０２】
本発明は以上の実施形態に限定されず、種々の態様で実施してよい。
【０１０３】
電子機器は、連結部により相対回転可能に連結された筐体を有するものであればよく、携帯電話機に限定されない。例えば、デジタルカメラやＰＤＡであってもよい。
【０１０４】
実施形態では、スライドカバーが、回転を許容する第一位置と規制する第二位置との間で移動可能な可動部と、外装部を被覆する第三位置と外装部を露出させる（外装部上から退避する）第四位置との間で移動可能な被覆部とを兼ねる場合を例示したが、可動部と被覆部とは別個に設けられていてもよい。この場合であっても、例えば、可動部の運動を歯車列やソフト制御などを介して被覆部に伝達することにより、可動部の第一位置と第二位置との間の移動に応じて被覆部を第三位置と第四位置との間で移動させることができる。また、可動部と被覆部とを別個に構成した場合には、可動部の移動範囲全体に亘って、可動部の移動に連動して被覆部が移動する必要はなく、可動部の移動範囲の一部に対して、可動部の移動に連動して被覆部が移動してもよい。
【０１０５】
可動部は、第一筐体及び第二筐体の相対回転を許容又は規制できればよく、第一筐体及び第二筐体の一方の外周に嵌合する位置と、双方の外周に嵌合する位置との間を移動可能な非円形の部材に限定されない。例えば、実施形態でいえば、スライドカバー２５のうち、凸部２９と溝部３０だけでも回転を規制又は許容することはできるから、スライドカバー２５を筐体の全周に配置せずに、スライドボタン状に形成してもよい。
【０１０６】
外装部は、第一筐体及び第二筐体の一方の表面上に設けられるもの、あるいは、外観上視認可能に設けられているものであればよく、カメラに限定されない。例えば、カメラのレリーズボタンや、他の機器と接続するためのコネクタや、ＬＣＤ等の表示装置であってもよい。
【０１０７】
動作状態の切換は、外装部の被覆時と露出時とでその動作が異なっていればよいのであり、オン状態（動作）とオフ状態（不動作）に限定されない。例えば、実施形態のスライドカバーを、入射光の一部の光を遮断するフィルタにより構成し、カメラがスライドカバーにより被覆されている場合と、露出している場合とで、シャッタスピードを切り換えるようにしてもよい。
【０１０８】
動作状態の切換を、動作（オン状態）と不動作（オフ状態）との切換とする場合、動作及び不動作は、適宜に定義することができる。例えば、外装部がカメラである場合、撮像素子や撮像処理部への電力供給の有無により動作及び不動作を定義してもよいし、レリーズボタンの押圧に応じた制御部から撮像処理部への制御信号の出力の有無をもって動作及び不動作を定義してもよいし、これらを組み合わせて定義してもよい。
【０１０９】
動作状態を切り換える切換手段は、スイッチのように物理的に信号処理系を切り換えるものであってもよいし、制御部のように処理内容を切り換えるものであってもよい。例えば、実施形態では、スイッチ３７からの信号に基づいて制御部４５が処理内容を切り換える場合を例示したが、例えば、スイッチ３７のオン、オフにより、撮像素子や撮像処理部への電源供給ラインが物理的にオン、オフされるように構成してもよい。
【図面の簡単な説明】
【０１１０】
【図１】本発明の第１の実施形態の携帯電話機１の通常使用状態を示す外観斜視図。
【図２】図１の携帯電話機１の回転可能状態を示す外観斜視図。
【図３】図１の携帯電話機１の回転途中状態を示す外観斜視図。
【図４】図１の携帯電話機１の回転終了状態を示す外観斜視図。
【図５】図１の携帯電話機１の回転後ロックした状態を示す外観斜視図。
【図６】図１の携帯電話機１の連結部付近を一部分解して示す斜視図。
【図７】図１の携帯電話機１の連結部付近の断面図。
【図８】図１の携帯電話機１のカメラの動作状態の切換を説明する図。
【図９】図１の携帯電話機１の筐体の回転検知方法を説明する図。
【図１０】図１の携帯電話機１の自分撮影状態を示す外観斜視図。
【図１１】図１の携帯電話機１の相手撮影状態を示す外観斜視図。
【図１２】図１の携帯電話機１の状態遷移を示す図。
【図１３】図１の携帯電話機１の信号処理系の構成を示すブロック図。
【図１４】図１の携帯電話機の変形例の相手撮影状態を示す図。
【図１５】図１４の変形例の自分撮影状態を示す図。
【図１６】図１４の変形例の状態遷移を示す図。
【図１７】本発明の他の実施形態の概要を説明する図。
【図１８】本発明の第２の実施形態の携帯電話機を示す模式図。
【図１９】本発明の第３の実施形態の携帯電話機を示す模式図。
【図２０】本発明の第４の実施形態の携帯電話機を示す模式図。
【符号の説明】
【０１１１】
１…携帯電話機（電子機器）、２…表示筐体（第一筐体）、３…操作筐体（第二筐体）、４…連結部、２５…スライドカバー（可動部、被覆部）、１５ａ…撮影窓。
【図１】
0004790375.tif 000002
【図２】
0004790375.tif 000003
【図３】
0004790375.tif 000004
【図４】
0004790375.tif 000005
【図５】
0004790375.tif 000006
【図６】
0004790375.tif 000007
【図７】
0004790375.tif 000008
【図８】
0004790375.tif 000009
【図９】
0004790375.tif 000010
【図１０】
0004790375.tif 000011
【図１１】
0004790375.tif 000012
【図１２】
0004790375.tif 000013
【図１３】
0004790375.tif 000014
【図１４】
0004790375.tif 000015
【図１５】
0004790375.tif 000016
【図１６】
0004790375.tif 000017
【図１７】
0004790375.tif 000018
【図１８】
0004790375.tif 000019
【図１９】
0004790375.tif 000020
【図２０】
0004790375.tif 000021